(57)【特許請求の範囲】
【請求項１】
発呼側通信装置と着呼側通信装置との間で電話回線を介した情報の送受信及びＩＰネットワークを介したファクシミリ送受信が可能な通信システムにおいて、
前記発呼側通信装置に、
該発呼側通信装置のＩＰアドレスを記憶する手段と、
前記着呼側通信装置の電話番号とＩＰ−ＦＡＸ宛先番号との宛先情報を入力する手段と、
前記宛先情報に対する暗証番号を生成する手段と、
前記ＩＰ−ＦＡＸ宛先番号と前記暗証番号とを対応させて記憶する手段と、
前記電話回線を介して前記着呼側通信装置の電話番号へ発呼して前記ＩＰアドレスと前記暗証番号とを前記着呼側通信装置へ送信する手段と、
前記着呼側通信装置へ前記ＩＰアドレスと前記暗証番号とを送信した後、前記ＩＰネットワークを介して前記着呼側通信装置のＩＰ−ＦＡＸ宛先番号へ発呼し、前記着呼側通信装置から前記ＩＰネットワークを介して暗証番号を受信した場合、該受信した暗証番号が記憶している暗証番号と一致するか否かを判断する手段と、
該手段によって一致すると判断したときは前記発呼したＩＰ−ＦＡＸ宛先番号への通信を続行し、一致しないと判断したときは前記発呼したＩＰ−ＦＡＸ宛先番号への通信を中止する手段とを設け、
前記着呼側通信装置に、
前記電話回線を介して前記発呼側通信装置から着呼した際に、該発呼側通信装置から受信したＩＰアドレスと暗証番号とを対応させて記憶する手段と、
前記ＩＰネットワークを介して前記発呼側通信装置から着呼したとき、該発呼側通信装置から受信したＩＰアドレスが記憶しているＩＰアドレスと一致するか否かを判断する手段と、
該手段によって一致すると判断した場合、該一致すると判断されたＩＰアドレスに対応する暗証番号を前記ＩＰネットワークを介して前記発呼側通信装置へ送信する手段とを設けたことを特徴とする通信システム。
【請求項２】
前記発呼側通信装置に、
前記ＩＰ−ＦＡＸ宛先番号と前記暗証番号とを対応させて記憶するときに前記暗証番号の有効時刻も対応させて記憶する手段と、
前記ＩＰ−ＦＡＸ宛先番号が再度入力されたとき、前記ＩＰ−ＦＡＸ宛先番号の暗証番号に対応する有効時刻に基づいて記憶している暗証番号が有効か否かを判断する手段と、
該手段によって有効と判断した場合は該有効と判断された暗証番号を使用し、無効と判断した場合は該無効と判断された暗証番号を消去して前記再度入力されたＩＰ−ＦＡＸ宛先番号に対して新たな暗証番号を生成して使用する手段とを設けたことを特徴とする請求項１記載の通信システム。
【請求項３】
前記発呼側通信装置に、
前記ＩＰ−ＦＡＸ宛先番号への発呼時に、記憶しているＩＰ−ＦＡＸ宛先番号に発呼時の該発呼側通信装置のＩＰアドレスを対応させて記憶する手段と、
前記ＩＰ−ＦＡＸ宛先番号へ再度発呼するとき、その発呼時の該発呼側通信装置のＩＰアドレスが前回の発呼時に記憶した発呼時の該発呼側通信装置のＩＰアドレスと一致するか否かを判断する手段と、
該手段によって一致すると判断したときは発呼をし、一致しないと判断したときは発呼をせずに改めて前記電話回線を介して前記再度発呼時の該発呼側通信装置のＩＰアドレスと暗証番号とを前記着呼側通信装置へ送信する手段を設けたことを特徴とする請求項１又は２記載の通信システム。
【請求項４】
前記発呼側通信装置に、
前記電話回線を介して前記着呼側通信装置の電話番号へ発呼したとき、前記着呼側通信装置がビジー、又は前記着呼側通信装置が予め設定した時間以上応答しなかった場合、前記着呼側通信装置から前記ＩＰネットワークを介して暗証番号を受信したとき、該発呼側通信装置に前回発呼時に記憶した暗証番号がある場合は、前記受信した暗証番号が前記前回発呼時に記憶した暗証番号と一致するか否かを判断する手段を設けたことを特徴とする請求項１乃至３のいずれか一項に記載の通信システム。
【請求項５】
前記発呼側通信装置に、
前記着呼側通信装置から前記ＩＰネットワークを介して受信した暗証番号が前記記憶している暗証番号と一致しないと判断した場合、前記ＩＰ−ＦＡＸ宛先番号を発呼禁止先として記憶する手段と、
該手段に記憶された発呼禁止先のＩＰ−ＦＡＸ宛先番号への発呼を禁止する手段を設けたことを特徴とする請求項１乃至４のいずれか一項に記載の通信システム。
【請求項６】
前記発呼側通信装置に、複数の着呼側通信装置についてのＩＰ−ＦＡＸ宛先番号と暗証番号とを対応させて記憶する手段と、
前記着呼側通信装置に、複数の発呼側通信装置についてのＩＰアドレスと暗証番号とを対応させて記憶する手段とをそれぞれ設けたことを特徴とする請求項１乃至５のいずれか一項に記載の通信システム。
【請求項７】
前記発呼側通信装置に、
認証手続を行わない着呼側通信装置の電話番号とＩＰ−ＦＡＸ宛先番号を記憶する手段と、
該手段に記憶された着呼側通信装置の電話番号へのＩＰアドレスと暗証番号の送信と、前記着呼側通信装置のＩＰネットワークを介して受信した暗証番号と記憶している暗証番号とが一致するか否かの判断とを行わないようにする手段を設けたことを特徴とする請求項１乃至６のいずれか一項に記載の通信システム。
【請求項８】
発呼側通信装置と着呼側通信装置との間で電話回線を介した情報の送受信及びＩＰネットワークを介したファクシミリ送受信が可能な通信方法において、
前記発呼側通信装置は、該発呼側通信装置のＩＰアドレスを記憶する工程と、前記着呼側通信装置の電話番号とＩＰ−ＦＡＸ宛先番号との宛先情報を入力する工程と、前記宛先情報に対する暗証番号を生成する工程と、前記ＩＰ−ＦＡＸ宛先番号と前記暗証番号とを対応させて記憶する工程と、前記電話回線を介して前記着呼側通信装置の電話番号へ発呼して前記ＩＰアドレスと前記暗証番号とを前記着呼側通信装置へ送信する工程と、前記着呼側通信装置へ前記ＩＰアドレスと前記暗証番号とを送信した後、前記ＩＰネットワークを介して前記着呼側通信装置のＩＰ−ＦＡＸ宛先番号へ発呼し、前記着呼側通信装置から前記ＩＰネットワークを介して暗証番号を受信した場合、該受信した暗証番号が記憶している暗証番号と一致するか否かを判断する工程と、該工程によって一致すると判断したときは前記発呼したＩＰ−ＦＡＸ宛先番号への通信を続行し、一致しないと判断したときは前記発呼したＩＰ−ＦＡＸ宛先番号への通信を中止する工程を実行し、
前記着呼側通信装置は、前記電話回線を介して前記発呼側通信装置から着呼した際に、該発呼側通信装置から受信したＩＰアドレスと暗証番号とを対応させて記憶する工程と、前記ＩＰネットワークを介して前記発呼側通信装置から着呼したとき、該発呼側通信装置から受信したＩＰアドレスが記憶しているＩＰアドレスと一致するか否かを判断する工程と、該工程によって一致すると判断した場合、該一致すると判断されたＩＰアドレスに対応する暗証番号を前記ＩＰネットワークを介して前記発呼側通信装置へ送信する工程を実行することを特徴とする通信方法。
【発明の詳細な説明】
【技術分野】
【０００１】
この発明は、ファクシミリ装置，プリンタ，複写機，複合機，パーソナルコンピュータを含む通信装置からなる通信システムと、複数の通信装置間における通信方法に関する。
【背景技術】
【０００２】
近年、ファクシミリ装置，プリンタ，複写機，複合機，パーソナルコンピュータを含む通信装置によるファクシミリ通信（ＦＡＸ）において次のような誤送信が問題になっている。
問題１．利用者がＦＡＸ送信先のＦＡＸ番号を誤入力、又は予め登録したＦＡＸ送信先のＦＡＸ番号を誤登録してしまったことによる誤送信。
問題２．ＦＡＸ送信先が転居等によってＦＡＸ番号が変わってしまって、そのＦＡＸ番号を現在使用している第三者利用への誤送信。
これらの誤送信を防止するため、次のような方策がとられていた。
・利用者に宛先のＦＡＸ番号を２度入力させる。
・一般利用者によるＦＡＸ番号の直接入力を禁止し、管理者が予め登録したＦＡＸ番号だけを選択入力して利用させる。
・同報送信を禁止し、１宛先ずつＦＡＸ送信させる。
【０００３】
また、送信元の通信装置（発呼側通信装置）は、ファクシミリ発信時に入力された送信先の通信装置（着呼側通信装置）の電話番号と、その着呼側通信装置から受信した着呼側通信装置に予め登録されている自局の電話番号（着呼側通信装置の電話番号）とを照合して誤送信を防ぐ通信装置（例えば、特許文献１参照）があった。
さらに、ファックス送信を行う場合、発信先の通信装置から発信端末識別信号を受信した場合、その発信端末識別信号の内容と通信継続確認画面を表示し、通信を継続するか否かの操作入力に基づいてファックス送信を行うか否かを決定する通信装置（例えば、特許文献２参照）があった。
【０００４】
これに加えて、通信装置によるＩＰ−ＦＡＸ通信では次の問題３がある。
問題３．悪意のある第三者によるＦＡＸ番号の利用（成りすまし）による誤送信。
次に、この問題３について詳しく説明する。
ＮＴＴ（登録商標）を含む通信会社が提供するＩＰ電話サービス（例えば、Ｂフレッツ（登録商標）などがある）では、ＮＴＴから配布される通信装置（「通信端末装置」とも言う）には固定の電話番号が予め割り当られており、通信装置の利用者がその電話番号を勝手に変更することはできない。
したがって、固定の電話番号が割り当てられた通信装置においては「ＦＡＸ番号の成りすまし」といったセキュリティ上の心配はない。
一方、社内ローカルエリアネットワーク（ＬＡＮ）や広域エリアネットワーク（ＷＡＮ）に限った利用形態では、利用者は通信装置のＩＰ−ＦＡＸ番号やＩＰ電話番号を自由に設定できるようになっている。
【０００５】
これは、会社側で事業所や部署による番号体系が決められており、異動などにより利用者が通信装置と一緒に動いたときには、その移動先の電話番号に自由に変更できるといった利便性を重要視したためである。
図１５は、ＦＡＸ番号の成りすましによる誤送信の説明に供する通信システムの構成を示す図である。
この通信システムでは、ＩＰネットワーク５２上の全ＩＰ−ＦＡＸは、同じくＩＰネットワーク５２上のＩＰ−ＦＡＸ宛先番号管理装置５３のルーティング管理テーブルに、例えば、１５分間隔で自装置に割り当てられたＥ．１６４アドレスとＩＰアドレスとを対応させて登録する。そのＩＰ−ＦＡＸ宛先番号管理装置５３は、送信元のＩＰ−ＦＡＸから送信先のＥ．１６４アドレスが問い合わされたとき、そのＥ．１６４アドレスに対応するＩＰアドレスを返すものである。
【０００６】
ここで、例えば、ＩＰ−ＦＡＸ５０が、ＩＰ−ＦＡＸ宛先番号管理装置５３に対して、自装置のＩＰアドレス［１３３．１３９．１７５．１００］とＥ．１６４アドレス［１２３４］をルーティング管理テーブルに登録した場合、悪意有る利用者が、他のＩＰ−ＦＡＸ５１を使ってＥ．１６４アドレス［１２３４］に対応させた自装置（ＩＰ−ＦＡＸ５１）のＩＰアドレス［１３３．１３９．１７５．２００］を登録してしまうと、ＩＰ−ＦＡＸ宛先番号管理装置５３は、その後、１５分間は送信元のＩＰ−ＦＡＸからのＥ．１６４アドレス［１２３４］の問い合わせに対して、ＩＰ−ＦＡＸ５１のＩＰアドレス［１３３．１３９．１７５．２００］を通知してしまうので、ＩＰ−ＦＡＸ５０に送信されるはずのＦＡＸ画像がＩＰ−ＦＡＸ５１にルーティングされしまい、悪意有る利用者がＦＡＸ画像を不正に取得してしまうという問題が発生する。
このように、利用者が通信装置の電話番号を自由に設定できると、悪意のある利用者による成りすましや、誤った電話番号を設定した利用者がいる場合は誤配信が起こる恐れがある。
【特許文献１】特開２００５−０９４２１０号公報
【特許文献２】特開２００７−８８９８１号公報
【発明の開示】
【発明が解決しようとする課題】
【０００７】
しかしながら、従来の通信装置では、ＦＡＸ送信元でＦＡＸ送信先の通信装置が正しい宛先であり、悪意のある利用者による成りすましによる通信装置ではないことを確認することができないので、悪意のある利用者による成りすましによる間違った宛先へのＦＡＸ送信を防止することができないという問題があった。
この発明は上記の点に鑑みてなされたものであり、悪意のある利用者によって送信先に成りすました通信装置へのファクシミリ誤送信を防止することを目的とする。
【課題を解決するための手段】
【０００８】
この発明は上記の目的を達成するため、発呼側通信装置と着呼側通信装置との間で電話回線を介した情報の送受信及びＩＰネットワークを介したファクシミリ送受信が可能な通信システムにおいて、上記発呼側通信装置に、その発呼側通信装置のＩＰアドレスを記憶する手段と、上記着呼側通信装置の電話番号とＩＰ−ＦＡＸ宛先番号との宛先情報を入力する手段と、上記宛先情報に対する暗証番号を生成する手段と、上記ＩＰ−ＦＡＸ宛先番号と上記暗証番号とを対応させて記憶する手段と、上記電話回線を介して上記着呼側通信装置の電話番号へ発呼して上記ＩＰアドレスと上記暗証番号とを上記着呼側通信装置へ送信する手段と、上記着呼側通信装置へ上記ＩＰアドレスと上記暗証番号とを送信した後、上記ＩＰネットワークを介して上記着呼側通信装置のＩＰ−ＦＡＸ宛先番号へ発呼し、上着呼側通信装置から上記ＩＰネットワークを介して暗証番号を受信した場合、その受信した暗証番号が記憶している暗証番号と一致するか否かを判断する手段と、その手段によって一致すると判断したときは上記発呼したＩＰ−ＦＡＸ宛先番号への通信を続行し、一致しないと判断したときは上記発呼したＩＰ−ＦＡＸ宛先番号への通信を中止する手段とを設け、上記着呼側通信装置に、上記電話回線を介して上記発呼側通信装置から着呼した際に、その発呼側通信装置から受信したＩＰアドレスと暗証番号とを対応させて記憶する手段と、上記ＩＰネットワークを介して上記発呼側通信装置から着呼したとき、その発呼側通信装置から受信したＩＰアドレスが記憶しているＩＰアドレスと一致するか否かを判断する手段と、その手段によって一致すると判断した場合、その一致すると判断されたＩＰアドレスに対応する暗証番号を上記ＩＰネットワークを介して上記発呼側通信装置へ送信する手段とを設けた通信システムを提供する。
【０００９】
また、上記のような通信システムにおいて、上記発呼側通信装置に、上記ＩＰ−ＦＡＸ宛先番号と上記暗証番号とを対応させて記憶するときに上記暗証番号の有効時刻も対応させて記憶する手段と、上記ＩＰ−ＦＡＸ宛先番号が再度入力されたとき、上記ＩＰ−ＦＡＸ宛先番号の暗証番号に対応する有効時刻に基づいて記憶している暗証番号が有効か否かを判断する手段と、その手段によって有効と判断した場合はその有効と判断された暗証番号を使用し、無効と判断した場合はその無効と判断された暗証番号を消去して上記再度入力されたＩＰ−ＦＡＸ宛先番号に対して新たな暗証番号を生成して使用する手段を設けるようにするとよい。
【００１０】
さらに、上記のような通信システムにおいて、上記発呼側通信装置に、上記ＩＰ−ＦＡＸ宛先番号への発呼時に、記憶しているＩＰ−ＦＡＸ宛先番号に発呼時のその発呼側通信装置のＩＰアドレスを対応させて記憶する手段と、上記ＩＰ−ＦＡＸ宛先番号へ再度発呼するとき、その発呼時のその発呼側通信装置のＩＰアドレスが前回の発呼時に記憶した発呼時のその発呼側通信装置のＩＰアドレスと一致するか否かを判断する手段と、その手段によって一致すると判断したときは発呼をし、一致しないと判断したときは発呼をせずに改めて上記電話回線を介して上記再度発呼時のその発呼側通信装置のＩＰアドレスと暗証番号とを上記着呼側通信装置へ送信する手段を設けるようにしてもよい。
【００１１】
また、上記のような通信システムにおいて、上記発呼側通信装置に、上記電話回線を介して上記着呼側通信装置の電話番号へ発呼したとき、上記着呼側通信装置がビジー、又は上記着呼側通信装置が予め設定した時間以上応答しなかった場合、上記着呼側通信装置から上記ＩＰネットワークを介して暗証番号を受信したとき、その発呼側通信装置に前回発呼時に記憶した暗証番号がある場合は、上記受信した暗証番号が上記前回発呼時に記憶した暗証番号と一致するか否かを判断する手段を設けるようにしてもよい。
さらに、上記のような通信システムにおいて、上記発呼側通信装置に、上記着呼側通信装置から上記ＩＰネットワークを介して受信した暗証番号が前記記憶している暗証番号と一致しないと判断した場合、上記ＩＰ−ＦＡＸ宛先番号を発呼禁止先として記憶する手段と、その手段に記憶された発呼禁止先のＩＰ−ＦＡＸ宛先番号への発呼を禁止する手段を設けるとよい。
【００１２】
また、上記のような通信システムにおいて、上記発呼側通信装置に、複数の着呼側通信装置についてのＩＰ−ＦＡＸ宛先番号と暗証番号とを対応させて記憶する手段と、上記着呼側通信装置に、複数の発呼側通信装置についてのＩＰアドレスと暗証番号とを対応させて記憶する手段をそれぞれ設けるようにしてもよい。
さらに、上記のような通信システムにおいて、上記発呼側通信装置に、認証手続を行わない着呼側通信装置の電話番号とＩＰ−ＦＡＸ宛先番号を記憶する手段と、その手段に記憶された着呼側通信装置の電話番号へのＩＰアドレスと暗証番号の送信と、上記着呼側通信装置のＩＰネットワークを介して受信した暗証番号と記憶している暗証番号とが一致するか否かの判断とを行わないようにする手段を設けるようにするとよい。
【００１３】
さらに、発呼側通信装置と着呼側通信装置との間で電話回線を介した情報の送受信及びＩＰネットワークを介したファクシミリ送受信が可能な通信方法において、上記発呼側通信装置は、その発呼側通信装置のＩＰアドレスを記憶する工程と、上記着呼側通信装置の電話番号とＩＰ−ＦＡＸ宛先番号との宛先情報を入力する工程と、上記宛先情報に対する暗証番号を生成する工程と、上記ＩＰ−ＦＡＸ宛先番号と上記暗証番号とを対応させて記憶する工程と、上記電話回線を介して上記着呼側通信装置の電話番号へ発呼して上記ＩＰアドレスと上記暗証番号とを上記着呼側通信装置へ送信する工程と、上記着呼側通信装置へ上記ＩＰアドレスと上記暗証番号とを送信した後、上記ＩＰネットワークを介して上記着呼側通信装置のＩＰ−ＦＡＸ宛先番号へ発呼し、上記着呼側通信装置から上記ＩＰネットワークを介して暗証番号を受信した場合、その受信した暗証番号が記憶している暗証番号と一致するか否かを判断する工程と、その工程によって一致すると判断したときは上記発呼したＩＰ−ＦＡＸ宛先番号への通信を続行し、一致しないと判断したときは上記発呼したＩＰ−ＦＡＸ宛先番号への通信を中止する工程を実行し、上記着呼側通信装置は、上記電話回線を介して上記発呼側通信装置から着呼した際に、その発呼側通信装置から受信したＩＰアドレスと暗証番号とを対応させて記憶する工程と、上記ＩＰネットワークを介して上記発呼側通信装置から着呼したとき、その発呼側通信装置から受信したＩＰアドレスが記憶しているＩＰアドレスと一致するか否かを判断する工程と、その工程によって一致すると判断した場合、その一致すると判断されたＩＰアドレスに対応する暗証番号を上記ＩＰネットワークを介して上記発呼側通信装置へ送信する工程を実行する通信方法も提供する。
【発明の効果】
【００１４】
この発明による通信システムと通信方法は、悪意のある利用者によって送信先に成りすました通信装置へのファクシミリ誤送信を防止することができる。
【発明を実施するための最良の形態】
【００１５】
以下、この発明を実施するための最良の形態を図面に基づいて具体的に説明する。
〔実施例〕
図１は、この実施例の通信システムの送信側通信装置の機能構成を示すブロック図である。
この送信側通信装置（「送信側のネットワーク通信端末装置」ともいう）は、ファクシミリ装置，プリンタ，複写機，複合機，パーソナルコンピュータを含む発呼側通信装置であり、システム制御部１は装置全体を制御するマイクロコンピュータであり、所定のファクシミリ通信（ＦＡＸ通信）の制御と、この発明に係る各種の制御処理を行う。
スキャナ２は、原稿画像を読み取り画像情報を取り出す画像読取装置である。
プロッタ３は、スキャナ２で読み取った画像情報、ＦＡＸ通信で受信した画像情報、電話回線又はＩＰネットワークを介して受信した画像情報に基づく画像を記録紙に記録する印刷装置である。
【００１６】
操作表示部４は、利用者に対して各種の操作情報を表示する一方、利用者が各種の操作を行うオペレーションパネルである。
記憶部５は、送信側通信装置のＩＰアドレスを記憶する記憶装置である。この記憶部５には、宛先情報管理テーブルも記憶する。その宛先情報管理テーブルには、着呼側通信装置の電話番号とＩＰ−ＦＡＸ宛先番号との宛先情報と暗証番号とその暗証番号の有効時刻と発呼時の送信側通信装置のＩＰアドレスを対応させて記憶する。また、この記憶部５には、認証に失敗したＩＰ−ＦＡＸの宛先情報と、認証を行わないＩＰ−ＦＡＸの宛先情報も記憶する。
網制御部６は、電話回線（アナログ回線網）と電話機が接続されている。そして電話回線を介して宛先との発着信を行うための回線制御を行う。
ネットワーク制御部７は、ＩＰネットワーク（例えば、ＬＡＮ回線）が接続されている。そして、ＩＰネットワークを介してパケット化したデータを宛先との間で送信又は受信するやり取りを行う。
【００１７】
符号化復号化部８は、モディファイド・ハフマン（ＭＨ）方式を含むデータ通信における既知の圧縮符号化方式により、送信する画像情報を符号化によりデータ圧縮を行う一方、受信した画像情報を復号化して元の画像情報を再生する。
ＤＴＭＦ信号生成解析部９は、番号（数字列）をダイヤル・トーン・マルチ・フリークエンシー（ＤＴＭＦ）信号化する機能と、受信したＤＴＭＦ信号を番号（数字列）へ変換する機能を持つ。
暗証番号認証部１０は、ＩＰネットワークを介して発呼側通信装置から受信した暗証番号を含む番号情報を、記憶部５に記憶している暗証番号と比較して一致するか否かの認証を行う。
暗証番号生成部１１は、宛先情報に対応する暗証番号を生成する。
バス１２は、上記各部間でデータのやり取りをする信号線である。
【００１８】
図２は、この実施例の通信システムの受信側通信装置の機能構成を示すブロック図である。
この受信側通信装置（「受信側のネットワーク通信端末装置」ともいう）は、上記送信側通信装置と同様に、ファクシミリ装置，プリンタ，複写機，複合機，パーソナルコンピュータを含む着呼側通信装置であり、システム制御部２１は装置全体を制御するマイクロコンピュータであり、所定のファクシミリ通信（ＦＡＸ通信）の制御と、この発明に係る各種の制御処理を行う。
スキャナ２２は、原稿画像を読み取り画像情報を取り出す画像読取装置である。
プロッタ２３は、スキャナ２で読み取った画像情報、ＦＡＸ通信で受信した画像情報、電話回線又はＩＰネットワークを介して受信した画像情報に基づく画像を記録紙に記録する印刷装置である。
操作表示部２４は、利用者に対して各種の操作情報を表示する一方、利用者が各種の操作を行うオペレーションパネルである。
【００１９】
記憶部２５は、発呼側通信装置から受信した発呼元のＩＰアドレス（上記送信側通信装置のＩＰアドレス）と暗証番号を対応させて記憶する記憶装置である。
網制御部２６は、電話回線と電話機が接続されている。そして電話回線を介して宛先との発着信を行うための回線制御を行う。
ネットワーク制御部２７は、ＩＰネットワークが接続されている。そして、ＩＰネットワークを介してパケット化したデータを宛先との間で送信又は受信するやり取りを行う。
符号化復号化部２８は、ＭＨ方式を含むデータ通信における既知の圧縮符号化方式により、送信する画像情報を符号化によりデータ圧縮を行う一方、受信した画像情報を復号化して元の画像情報を再生する。
ＤＴＭＦ信号生成解析部２９は、番号（数字列）をダイヤル・トーン・マルチ・フリークエンシー（ＤＴＭＦ）信号化する機能と、受信したＤＴＭＦ信号を番号（数字列）へ変換する機能を持つ。
バス３０は、上記各部間でデータのやり取りをする信号線である。
【００２０】
図３は、図１に示した送信側通信装置の記憶部５に記憶された宛先情報管理テーブルのデータ構造の一例を示す図である。
宛先情報管理テーブルには、利用者によって入力されたＩＰ−ＦＡＸ宛先番号とＩＰ−ＦＡＸの電話番号と、それらの宛先情報に対して生成した暗証番号と、その暗証番号に対する有効時刻と、前回発呼時の送信側通信装置のＩＰアドレスとを対応させて記憶する。
図４は、図２に示した受信側通信装置の記憶部２５に記憶された暗証番号管理テーブルのデータ構造の一例を示す図である。
この暗証番号管理テーブルには、電話回線を介して送信側通信装置から受信したＩＰアドレス（送信側通信装置のＩＰアドレス）と暗証番号とを対応させて記憶する。
【００２１】
次に、この通信ステムにおけるＩＰ−ＦＡＸ送信時の処理について説明する。
まず、送信側通信装置の処理を説明する。
図５乃至図７は、図１に示した送信側通信装置におけるＩＰ−ＦＡＸ送信時の処理を示すフローチャート図である。
この処理は、送信側通信装置のシステム制御部１が制御する。
図５に示すステップ（図中「Ｓ」で示す）１では、利用者（ユーザ）からのＦＡＸ送信要求の入力操作があったか否かを判断し、利用者からのＦＡＸ送信の開始要求の入力を検出することにより、ＦＡＸ送信要求の入力操作があったと判断したら、ステップ２へ進んで発呼処理を開始し、無かったと判断したら、この判断処理を繰り返す。
ステップ２では、利用者が指定した文書のＦＡＸ送信先の宛先端末（「受信側通信装置」に相当する）の「ＩＰ−ＦＡＸ宛先番号」と電話回線の「電話番号」を入力すると、ステップ３へ進む。
【００２２】
ステップ３では、利用者によって入力されたＩＰ−ＦＡＸ宛先番号は認証手続きを行う必要のある宛先端末であるか否かを確認し、ステップ４へ進む。このステップ３の処理では、記憶部５に、上記入力されたＩＰ−ＦＡＸ宛先番号が認証手続を行わない着呼側通信装置の電話番号に対応させて記憶されているか否かを確認し、記憶部５に認証手続を行わないものとして記憶されていなければ、認証手続きを行う必要のある宛先端末であるとし、有れば認証手続きを行う必要の無い宛先端末であるとする。
ステップ４では、上記確認結果に基づいて認証手続きを行う必要のある宛先端末か否かを判断し、認証手続きを行う必要のある宛先端末ならステップ５へ進み、認証手続きを行う必要のある宛先端末でなければステップ７へ進む。
そして、認証を行わない宛先として記憶部５に当該ＩＰ−ＦＡＸ宛先番号が記憶されていれば認証手続きを行わず、記憶されていなければ以降の発呼処理の中で認証手続きを行う。
【００２３】
ステップ５では、入力されたＩＰ−ＦＡＸ宛先番号は過去に認証に失敗した宛先端末か否かを確認し、ステップ６へ進む。このステップ５の処理では、記憶部５に、上記入力されたＩＰ−ＦＡＸ宛先番号が過去に認証に失敗した電話として記憶されているか否かを確認し、記憶部５に過去に認証に失敗したＩＰ−ＦＡＸ宛先番号として記憶されていれば、過去に認証に失敗した宛先端末とし、記憶部５に過去に認証に失敗したＩＰ−ＦＡＸ宛先番号として記憶されていなければ、過去に認証に失敗した宛先端末ではないとする。
ステップ６では、上記確認結果に基づいて過去に認証に失敗した宛先端末か否かを判断し、過去に認証に失敗した宛先端末ならステップ８へ進み、過去に認証に失敗した宛先端末でなければ、図６のステップ１１へ進む。
一方、ステップ７では、一般的なＩＰ−ＦＡＸ送信として、この発明に係る認証手続きは行わないで、入力されたＩＰ−ＦＡＸ宛先番号の宛先端末へＩＰ−ＦＡＸ送信を実行し、この処理を終了する。
【００２４】
また、ステップ８では、文書のＩＰ−ＦＡＸ送信を実行せずに、利用者に過去に認証に失敗した宛先端末であることを通知し、この処理を終了する。
次に、図６のステップ１１では、電話回線を閉結して、入力された電話番号へ発呼し、発呼先の宛先端末（「着呼側通信装置」に相当する）からの応答を待ち、ステップ１２へ進む。
ステップ１２では、発呼した宛先端末が所定時間内に応答したか否かを判断し、所定時間内に応答したと判断したら、ステップ１３へ進み、ビジー状態又は一定時間以上呼び出しても応答がない場合のように所定時間内に応答しなかったと判断したら、ステップ１６へ進む。
ステップ１３では、暗証番号生成部１１によって暗証番号を生成して、この暗証番号を上記入力されたＩＰ−ＦＡＸ宛先番号と電話番号の宛先情報と対応させて、記憶部５の宛先情報管理テーブルに記憶し、ステップ１４へ進む。
【００２５】
ステップ１４では、送信側通信装置のＩＰアドレスと上記生成した暗証番号とをＤＴＭＦ信号へ変換して、電話回線を介して上記発呼に応答した宛先端末へ送信し、ステップ１５へ進む。ステップ１５では、ＤＴＭＦ信号を送信完了したら電話回線を開放し、図７のステップ２１へ進む。
一方、ステップ１６では、電話回線を開放して、ステップ１７へ進む。
ステップ１７では、記憶部５の宛先情報管理テーブルから上記発呼した電話番号に対応するＩＰ−ＦＡＸ宛先番号に対応する暗証番号を検索し、ステップ１８へ進む。
ステップ１８では、宛先情報管理テーブルに上記ＩＰ−ＦＡＸ宛先番号に該当する暗証番号があったか否かを判断し、見つかったら、図７のステップ２１へ進み、見つからなかったら、ステップ１９へ進む。
ステップ１９では、文書のＩＰ−ＦＡＸ送信は行わないで、利用者にＩＰ−ＦＡＸ送信中止を通知し、この処理を終了する。
【００２６】
次に、図７のステップ２１では、ＩＰネットワーク上にあるＩＰ−ＦＡＸ宛先番号管理装置（「ゲートキーパー：Ｇａｔｅｋｅｅｐｅｒ」という）へアクセスして、上記入力されたＩＰ−ＦＡＸ宛先番号に対応するＩＰアドレス（受信側通信装置のＩＰアドレス）を取得し、ステップ２２へ進む。
ステップ２２では、ＩＰネットワークを介して上記取得したＩＰアドレス（すなわち「受信側通信装置」）へＨ．３２３で発呼し、ステップ２３へ進む。この処理では、具体的にはＴＣＰセッションを接続してＨ．３２３のメッセージであるセットアップ（ＳＥＴＵＰ）メッセージを送信し、宛先端末からのＨ．３２３の応答メッセージを待つ。
ステップ２３では、宛先端末からＨ．２３３の応答メッセージであるコネクト（ＣＯＮＮＥＣＴ）メッセージ（図中には「ＣＯＮＮＥＣＴ信号」と記載する）を受信したか否かを判断し、受信したらステップ２４へ進み、受信しなければこの判断処理を繰り返す。
ステップ２４では、ＣＯＮＮＥＣＴ信号は暗証番号を含んでいるか否かを判断し、含んでいれば、ステップ２５へ進み、含んでいなければステップ３０へ進む。
【００２７】
ステップ２５では、ＣＯＮＮＥＣＴ信号内から暗証番号を抽出し、宛先情報管理テーブルを参照し、上記発呼した宛先端末のＩＰ−ＦＡＸ宛先番号に対応する暗証番号を検索し、ステップ２６へ進む。
ステップ２６では、暗証番号認証部１０で宛先端末から受信した暗証番号と、宛先情報管理テーブルから検索した暗証番号とが一致するか否かを確認する認証手続をし、ステップ２７へ進む。このステップ２６の処理では、具体的には、発呼先の宛先端末から送られてきた暗証番号と、上記検索結果の暗証番号が一致するか否かを確認する。
ステップ２７では、認証手続は成功したか否かを判断する。上記暗証番号が一致するか否かの確認結果に基づいて、発呼先の宛先端末から送られてきた暗証番号と、上記検索結果の暗証番号が一致すれば、認証成功と判断し、ステップ２８へ進み、一致しなければ、認証失敗と判断し、ステップ３１へ進む。
ステップ２８では、宛先端末へＩＰネットワークを介してＩＰ−ＦＡＸ送信でＦＡＸ文書を送信し、ステップ２９へ進む。ＩＰ−ＦＡＸ送信における詳細な処理内容は公知なので省略する。
【００２８】
ステップ２９では、ＦＡＸ文書の送信が完了したら、宛先端末へＨ．３２３の切断メッセージであるリリースコンプリート（ＲＥＬＥＡＳＥ＿ＣＯＭＰＬＥＴＥ）信号を送信して、Ｈ．３２３の通信手続きを終了し、この処理を終了する。
一方、ステップ３０では、ＣＯＮＮＥＣＴメッセージ内に暗証番号が存在しなかった場合、宛先端末へのＩＰ−ＦＡＸ送信でのＦＡＸ文書の送信をせず、Ｈ３２３の切断メッセージのリリースコンプリート信号を送信し、Ｈ．３２３の通信手続きを終了し、ＦＡＸ文書の送信は行わずに、この処理を終了する。
また、ステップ３１では、認証結果が認証失敗であった場合、Ｈ．３２３メッセージであるリリースコンプリート信号を宛先端末へ送信してＨ．３２３の通信手続きを終了し、ステップ３２へ進む。
ステップ３２では、認証失敗と判断されたＩＰ−ＦＡＸ宛先番号を認証に失敗した宛先端末として記憶部５へ記憶し、ＦＡＸ文書の送信は行わずに、この処理を終了する。
【００２９】
次に、受信側通信装置の処理を説明する。
図８は、図１に示した受信側通信装置におけるＩＰ−ＦＡＸ送信時の処理を示すフローチャート図である。
この処理は、受信側通信装置のシステム制御部２１が制御する。
システム制御部２１は、ステップ４１で電話回線からの呼び出し信号（着呼）を検出したか否かを判断し、検出したらステップ４２へ進み、検出しなかったらステップ５０へ進む。
ステップ５０では、ＩＰネットワークからＨ３２３の着呼を検出してＳＥＴＵＰ信号を受信したか否かを判断し、受信したらステップ４５へ進み、受信しなければステップ４１へ戻る。
上記電話回線からの着呼（呼び出し）とＩＰネットワークからのＨ．３２３の着呼の検出は並行して監視するようにしてもよい。
【００３０】
ステップ４２では、電話回線で着呼を検出すると、電話回線を閉結し、ステップ４３へ進む。
ステップ４３では、発呼元（送信側通信装置）からのＤＴＭＦ信号を受信し、そのＤＴＭＦ信号に含まれる発呼元のＩＰアドレス（送信側通信装置のＩＰアドレス）と暗証番号とを抽出し、それらを対応させて記憶部２５の暗証番号管理テーブルに記憶し、ステップ４４へ進む。
ステップ４４では、電話回線を開放し、最初の処理へ戻る。
次に、ステップ４５では、ＩＰネットワークを介してＨ．３２３の着呼（ＳＥＴＵＰ信号の受信）を検出すると、その発呼元のＩＰアドレスに対応する暗証番号を記憶部２５の暗証番号管理テーブルから検索し、ステップ４６へ進む。
なお、ＩＰネットワークでの通信では発呼側の相手端末のＩＰアドレスが分かるため、これを「発呼元のＩＰアドレス」として使用する。
【００３１】
ステップ４６では、発呼元のＩＰアドレスに対応する暗証番号があったか否かを判断し、検索処理の結果、該当する暗証番号が見つかった場合はステップ４７へ進み、該当する暗証番号が見つからなかった場合はステップ５１へ進む。
ステップ４７では、Ｈ．３２３の応答メッセージであるコネクト（ＣＯＮＮＥＣＴ）信号に上記検索した暗証番号を入れ込んで、ＩＰネットワークを介してＨ．３２３で発呼元の宛先端末（送信側通信装置）へ送信し、ＦＡＸ文書の受信待ちをし、ステップ４８へ進む。
一方、ステップ５１では、Ｈ．３２３の応答メッセージであるコネクト（ＣＯＮＮＥＣＴ）信号（暗証番号を入れ込まないで）を、ＩＰネットワークを介してＨ．３２３で発呼元の宛先端末（送信側通信装置）へ送信し、ＦＡＸ文書の受信待ちをし、ステップ４８へ進む。
【００３２】
ステップ４８では、ＩＰネットワークを介してＨ．３２３の呼の切断メッセージであるリリースコンプリート（ＲＥＬＥＡＳＥ＿ＣＯＭＰＬＥＴＥ）信号を受信したか否かを判断し、受信したらステップ４９へ進み、受信しなければステップ５２へ進む。
ステップ４９では、同じくＨ．３２３の切断メッセージであるリリースコンプリート信号を発呼元の宛先端末へ送信し、ＦＡＸ文書の受信はせず、呼を切断してこの処理を終了する。
なお、送信側通信装置で「暗証番号」の認証が失敗した場合に、このタイミングで切断メッセージが出される。
一方、ステップ５２では、Ｈ．３２３の呼の切断メッセージであるリリースコンプリート信号を受信しなければ、発呼元からＩＰＦＡＸ送信でＦＡＸ文書データを受信し、ステップ５３へ進む。
ステップ５３では、Ｈ．３２３の呼の切断メッセージであるリリースコンプリート信号を発呼元の宛先端末へ送信し、呼を切断してこの処理を終了する。
【００３３】
図９は、この実施例の通信ステムにおけるＩＰ−ＦＡＸ送信の説明図である。
送信側ＩＰ−ＦＡＸ４０から受信側ＩＰ−ＦＡＸ４１へＩＰ−ＦＡＸ送信する場合、送信側ＩＰ−ＦＡＸ４０において、受信側ＩＰ−ＦＡＸ４１のＩＰ−ＦＡＸ宛先番号［８−３３３−１２３４］とＩＰ−ＦＡＸの電話番号［０３−３７７７−３３３３］が入力されると、それらの宛先情報に対応する暗証番号［５８３４］を生成してＩＰ−ＦＡＸ宛先番号［８−３３３−１２３４］と対応させて送信側ＩＰ−ＦＡＸ４０の記憶部の宛先情報管理テーブルに記憶し、電話回線網４２を介して受信側ＩＰ−ＦＡＸ４１のＩＰ−ＦＡＸの電話番号［０３−３７７７−３３３３］へ発呼し、受信側ＩＰ−ＦＡＸ４１へ送信側ＩＰ−ＦＡＸ４０のＩＰアドレス［１３３．１３９．１７５．１００］と暗証番号［５８３４］を送信する。
一方、受信側ＩＰ−ＦＡＸ４１では、電話回線網４２を介して送信側ＩＰ−ＦＡＸ４０から着呼があると、送信側ＩＰ−ＦＡＸ４０から送信された送信側ＩＰ−ＦＡＸ４０のＩＰアドレス［１３３．１３９．１７５．１００］と暗証番号［５８３４］を対応させて受信側ＩＰ−ＦＡＸ４１の記憶部の暗証番号管理テーブルに記憶する。
【００３４】
次に、送信側ＩＰ−ＦＡＸ４０はＩＰネットワーク４３上のＩＰ−ＦＡＸ宛先番号管理装置４４に、受信側ＩＰ−ＦＡＸ４１のＩＰ−ＦＡＸ宛先番号［８−３３３−１２３４］に対応するＩＰアドレス［１３３．１３９．１７５．２００］を問い合わせて取得し、そのＩＰアドレス［１３３．１３９．１７５．２００］によってＩＰネットワーク４３を介して受信側ＩＰ−ＦＡＸ４１へ発呼する。
一方、受信側ＩＰ−ＦＡＸ４１では、ＩＰネットワーク４３を介して送信側ＩＰ−ＦＡＸ４０からの着呼があると、その送信側ＩＰ−ＦＡＸ４０のＩＰアドレス［１３３．１３９．１７５．１００］が取得できるので、そのＩＰアドレスに基づいて受信側ＩＰ−ＦＡＸ４１の記憶部の暗証番号管理テーブルから該当するＩＰアドレスを検索し、その検索されたＩＰアドレスに対応する暗証番号［５８３４］を検索し、ＩＰネットワーク４３を介して送信側ＩＰ−ＦＡＸ４０へ暗証番号［５８３４］を送信する。
【００３５】
そして、送信側ＩＰ−ＦＡＸ４０では、受信側ＩＰ−ＦＡＸ４１から受信した暗証番号［５８３４］が、宛先情報管理テーブルの受信側ＩＰ−ＦＡＸ４１のＩＰ−ＦＡＸ宛先番号［８−３３３−１２３４］に対応する暗証番号［５８３４］と一致することを確認すると、受信側ＩＰ−ＦＡＸ４１が正しい送信先であることを認証し、受信側ＩＰ−ＦＡＸ４１へＩＰネットワーク４３を介してＦＡＸ文書をＩＰ−ＦＡＸ送信する。
【００３６】
このように、送信側ＩＰ−ＦＡＸ４０では、ＩＰ−ＦＡＸ送信前に、利用者によって番号が変えられない電話回線で暗証番号を受信側ＩＰ−ＦＡＸ４１へ送り、その暗証番号がＩＰネットワーク４３を介して取得できれば正しい送信先であることを確認するので、例えば、ＩＰネットワーク４３上の不正なＩＰ−ＦＡＸ４５がＩＰ−ＦＡＸ宛先番号管理装置４４における受信側ＩＰ−ＦＡＸ４１のＩＰ−ＦＡＸ宛先番号［８−３３３−１２３４］に対応するＩＰアドレス［１３３．１３９．１７５．２００］を不正なＩＰ−ＦＡＸ４５のＩＰアドレスに書き換えても、送信側ＩＰ−ＦＡＸ４０は、上述の暗証番号による認証処理により、不正なＩＰ−ＦＡＸ４５からは暗証番号が取得できないので、不正な送信先であることの確認ができ、ＦＡＸ文書を送付しなくて済む。
【００３７】
このようにして、異なる番号形態を持つ２つの網（電話回線網、ＩＰネットワーク網）を利用可能な通信システムにおいて、信頼性の高い電話回線を利用して、予め相手端末へ通知した番号情報を、ＩＰ−ＦＡＸの送信手続きの中でやり取りして着呼端末を認証することにより、ＦＡＸ文書を送信したい相手端末と確実につなげることができ、間違った相手先への誤送信や悪意のある第三者が成りすました相手先への送信を防止することができ、ＩＰ−ＦＡＸ送信の信頼性を向上させることができる。
また、受信側通信装置の電話回線がビジー状態であった場合は、ＩＰ−ＦＡＸの送信が受信側通信装置の回線が開放されるまで待たされることになり、送信操作の操作性を低下させてしまうので、受信側通信装置がビジー又は一定時間応答が無かった場合、前回使用した暗証番号を使用することによって、ＩＰ−ＦＡＸの送信を続けることができ、操作性を向上することができる。
【００３８】
さらに、送信側通信装置は、認証手続きに失敗したＩＰ−ＦＡＸ宛先番号へのＦＡＸ送信を禁止するので、セキュリティの堅牢性を向上させることができる。
また、現実の環境では、全ての送信宛先の端末が上述した認証機能を持っているわけではないので、送信側通信装置に上述の認証手続きを行うＩＰ−ＦＡＸ宛先番号を予め登録して、ＩＰ−ＦＡＸ発呼時にその宛先によって認証手続きを実施するか実施しないかを切り替えることにより、操作性を向上させることができる。
【００３９】
次に、この通信ステムにおけるＩＰ−ＦＡＸ送信時の他の処理について説明する。
ＩＰ−ＦＡＸ送信時は次のようにしても良い。
まず、送信側通信装置の処理を説明する。
図１０乃至図１２は、図１に示した送信側通信装置におけるＩＰ−ＦＡＸ送信時の他の処理を示すフローチャート図である。
この処理は、送信側通信装置のシステム制御部１が制御する。
図１０に示すステップ（図中「Ｓ」で示す）６１では、利用者（ユーザ）からのＦＡＸ送信要求の入力操作があったか否かを判断し、利用者からのＦＡＸ送信の開始要求の入力を検出することにより、ＦＡＸ送信要求の入力操作があったと判断したら、ステップ６２へ進んで発呼処理を開始し、無かったと判断したら、この判断処理を繰り返す。
ステップ６２では、利用者が指定した文書のＦＡＸ送信先の宛先端末（「受信側通信装置」に相当する）の「ＩＰ−ＦＡＸ宛先番号」を入力すると、ステップ６３へ進む。
【００４０】
ステップ６３では、記憶部５の宛先情報管理テーブルを参照し、入力されたＩＰ−ＦＡＸ宛先番号を検索し、ステップ６４へ進む。
ステップ６４では、宛先情報管理テーブルに入力されたＩＰ−ＦＡＸ宛先番号があったか否かを判断し、あったらステップ６５へ進み、無かったらステップ６６へ進む。
ステップ６６では、利用者に促して、利用者からのＦＡＸ送信先の宛先端末（受信側通信装置）の電話番号を入力し、ステップ６７へ進む。
ステップ６７では、暗証番号生成部１１によって上記入力されたＩＰ−ＦＡＸ宛先番号と電話番号の宛先情報に対する暗証番号を生成し、ステップ６８へ進む。
ステップ６８では、記憶部５の宛先情報管理テーブルに、上記入力されたＩＰ−ＦＡＸ宛先番号と電話番号の宛先情報と、上記生成した暗証番号と、その暗証番号に付与した有効時刻とを対応させて記憶し、ステップ６５へ進む。上記有効時刻は、例えば、暗証番号の生成時の時刻を基準として設定する。例えば、暗証番号生成時の現在時刻から３日後の同時刻に設定すると良い。
【００４１】
ステップ６５では、宛先情報管理テーブルを参照し、上記入力されたＩＰ−ＦＡＸ宛先番号に対応する暗証番号の有効時刻に基づいて、宛先情報管理テーブルに記憶されている暗証番号が有効か否かを確認し、図１１のステップ７１へ進む。
次に、図１１のステップ７１では、上記確認結果に基づいて暗証番号が有効か否かを判断し、有効ならステップ７２へ進み、有効でなければ（無効なら）ステップ７９へ進む。
ステップ７９では、暗証番号生成部１１によって上記入力されたＩＰ−ＦＡＸ宛先番号と電話番号の宛先情報に対する新しい暗証番号を生成し、ステップ８０へ進む。
ステップ８０では、宛先情報管理テーブルのＩＰ−ＦＡＸ宛先番号に対応させて記憶されていた旧暗証番号（上記判断で無効とされたもの）とその有効時刻を削除し、改めてＩＰ−ＦＡＸ宛先番号に上記新しく生成した暗証番号とその暗証番号に付与した新たな有効時刻とを対応させて記憶し、ステップ７２へ進む。
【００４２】
ステップ７２では、記憶部５の宛先情報管理テーブルを参照し、ＩＰ−ＦＡＸ宛先番号に対応する前回発呼時の送信側通信装置のＩＰアドレスを取得（なお、１度も発呼していない場合は取得できない）し、ステップ７３へ進む。
ステップ７３では、上記取得した前回発呼時の送信側通信装置のＩＰアドレスと現在の送信側通信装置のＩＰアドレスとが一致するか否かを確認（なお、ＩＰアドレスが取得できなかった場合は一致しないと判断する）し、ステップ７４へ進む。
ステップ７４では、上記確認結果に基づいて暗証番号無効又はＩＰアドレスが不一致かを判断し、暗証番号が無効であった、又は前回発呼時の送信側通信装置のＩＰアドレスが現在の送信側通信装置のＩＰアドレスと不一致であった場合は、ステップ７５へ進み、暗証番号が無効ではなく（有効）、前回発呼時の送信側通信装置のＩＰアドレスが現在の送信側通信装置のＩＰアドレスと一致の場合は、図１２のステップ８１へ進む。
【００４３】
ステップ７５では、電話回線を閉結して、受信側通信装置のＩＰ−ＦＡＸ宛先番号に対応する電話番号へ発呼し、ステップ７６へ進む。
ステップ７６では、上記発呼に応答した宛先端末に送信側通信装置の現在のＩＰアドレスと暗証番号とをＤＴＭＦ信号で送信し、ステップ７７へ進む。
ステップ７７では、上記ＤＴＭＦ信号を送信後に電話回線を開放し、ステップ７８へ進む。
ステップ７８では、宛先情報管理テーブルのＩＰ−ＦＡＸ宛先番号に、送信側通信装置の現在のＩＰアドレスを前回発呼時のＩＰアドレスとして対応させて記憶し、図１２のステップ８１へ進む。
上記宛先情報管理テーブルには複数の受信側通信装置の宛先情報を記憶して管理することができる。
【００４４】
次に、図１２のステップ８１では、ＩＰネットワーク上にあるＩＰ−ＦＡＸ宛先番号管理装置（「ゲートキーパー：Ｇａｔｅｋｅｅｐｅｒ」という）へアクセスして、上記入力されたＩＰ−ＦＡＸ宛先番号に対応するＩＰアドレス（受信側通信装置のＩＰアドレス）を取得し、ステップ８２へ進む。
ステップ８２では、ＩＰネットワークを介して上記取得したＩＰアドレス（すなわち「受信側通信装置」）へＨ．３２３で発呼し、ステップ８３へ進む。この処理では、具体的にはＴＣＰセッションを接続してＨ．３２３のメッセージであるセットアップ（ＳＥＴＵＰ）メッセージを送信し、宛先端末からのＨ．３２３の応答メッセージを待つ。
ステップ８３では、宛先端末からＨ．３２３の応答メッセージであるコネクト（ＣＯＮＮＥＣＴ）メッセージ（図中には「ＣＯＮＮＥＣＴ信号」と記載する）を受信したか否かを判断し、受信したらステップ８４へ進み、受信しなければこの判断処理を繰り返す。
ステップ８４では、ＣＯＮＮＥＣＴ信号は暗証番号を含んでいるか否かを判断し、含んでいれば、ステップ８５へ進み、含んでいなければステップ９０へ進む。
【００４５】
ステップ８５では、ＣＯＮＮＥＣＴ信号内から暗証番号を抽出し、宛先情報管理テーブルを参照し、上記発呼した宛先端末のＩＰ−ＦＡＸ宛先番号に対応する暗証番号を検索し、ステップ８６へ進む。
ステップ８６では、暗証番号認証部１０が宛先端末から受信した暗証番号と、宛先情報管理テーブルから検索した暗証番号とが一致するか否かを確認する認証手続をし、ステップ８７へ進む。このステップ８６の処理では、具体的には、発呼先の宛先端末から送られてきた暗証番号と、上記検索結果の暗証番号が一致するか否かを確認する。
ステップ８７では、認証手続は成功したか否かを判断する。上記暗証番号が一致するか否かの確認結果に基づいて、発呼先の宛先端末から送られてきた暗証番号と、上記検索結果の暗証番号が一致すれば、認証成功と判断し、ステップ８８へ進み、一致しなければ、認証失敗と判断し、ステップ９１へ進む。
ステップ８８では、宛先端末へＩＰネットワークを介してＩＰ−ＦＡＸ送信でＦＡＸ文書を送信し、ステップ８９へ進む。ＩＰ−ＦＡＸ送信における詳細な処理内容は公知なので省略する。
【００４６】
ステップ８９では、ＦＡＸ文書の送信が完了したら、宛先端末へＨ．３２３の切断メッセージであるリリースコンプリート（ＲＥＬＥＡＳＥ＿ＣＯＭＰＬＥＴＥ）信号を送信して、Ｈ．３２３の通信手続きを終了し、この処理を終了する。
一方、ステップ９０では、ＣＯＮＮＥＣＴメッセージ内に暗証番号が存在しなかった場合、宛先端末へのＩＰ−ＦＡＸ送信でのＦＡＸ文書の送信をせず、Ｈ３２３の切断メッセージのリリースコンプリート信号を送信し、Ｈ．３２３の通信手続きを終了し、ＦＡＸ文書の送信は行わずに、この処理を終了する。
また、ステップ９１では、認証結果が認証失敗であった場合、Ｈ．３２３メッセージであるリリースコンプリート信号を宛先端末へ送信してＨ．３２３の通信手続きを終了し、ステップ９２へ進む。
ステップ９２では、認証失敗と判断されたＩＰ−ＦＡＸ宛先番号を認証に失敗した宛先端末として記憶部５へ記憶し、ＦＡＸ文書の送信は行わずに、この処理を終了する。
一方、受信側通信装置における処理は、図８に示した処理と同様なので、その説明を省略する。
【００４７】
図１３は、この実施例の通信ステムにおける暗証番号に有効時刻の説明図である。
送信側ＩＰ−ＦＡＸ４０の記憶部に、例えば、矢示４６に示すようなデータ内容の宛先情報管理テーブルが格納した場合、ＩＰ−ＦＡＸ宛先番号［８−３３３−１２３４］と電話番号［０３−３７７７−３３３３］の受信側ＩＰ−ＦＡＸ４１にＩＰ−ＦＡＸ送信するとき、上述の処理で、その暗証番号［５８３４］の有効時刻［２００７／１２／２０  １７：００］が送信時の現在時刻を過ぎていると、新しい暗証番号［３５３８］を生成し、その新しい暗証番号に改めて有効時刻［２００７／１２／２５  １７：００］を設定し、それらをＩＰ−ＦＡＸ宛先番号［８−３３３−１２３４］と電話番号［０３−３７７７−３３３３］に対応して記憶している暗証番号［５８３４］と有効時刻［２００７／１２／２０  １７：００］に上書きし、矢示４７に示すようなデータ内容の宛先情報管理テーブルになる。
【００４８】
また、受信側ＩＰ−ＦＡＸ４１では、矢示４８に示すように、暗証番号管理テーブルには、電話回線網４２から受信した複数の送信側通信装置の発呼元のＩＰアドレスと暗証番号を対応させて記憶することができる。
なお、上述の処理では、有効時刻を用いた場合を説明したが、例えば、暗証番号を生成した時刻を開始時刻として予め設定した有効時間（例えば、４８時間）で暗証番号が有効か否かを判別するようにしても良い。
図１４は、この実施例の通信ステムにおける前回発呼時の送信側ＩＰ−ＦＡＸ４０のＩＰアドレスの説明図である。
送信側ＩＰ−ＦＡＸ４０の記憶部に、例えば、矢示４９に示すようなデータ内容の宛先情報管理テーブルが格納した場合、各ＩＰ−ＦＡＸ宛先番号と電話番号に対応させて前回発呼時の送信側ＩＰ−ＦＡＸ４０のＩＰアドレスも記憶しているので、再度ＩＰ−ＦＡＸ送信する場合、現在の送信側ＩＰ−ＦＡＸ４０のＩＰアドレスが前回発呼時の送信側ＩＰ−ＦＡＸ４０のＩＰアドレスと異なっていた場合には、上述した処理によって暗証番号による認証を改めて行う。
【００４９】
このようにして、ＦＡＸ送信する度に毎回、電話回線を使用して受信機へ暗証番号を通知すると電話料金がかかるので、暗証番号に有効時刻を設け、この有効時刻まではＦＡＸ送信で暗証番号の通知手続きを省略することによって経済性を向上させることができる。
また、認証に失敗した受信側通信装置に対して何度でも発呼できるのでは、悪意ある受信機は何度も暗証番号を変えながら認証にトライでき、セキュリティ上の問題があるので、上述のように暗証番号に有効時刻を設けることにより、有効時刻を過ぎた暗証番号は使用せず、新しい暗証番号による認証を行うので、セキュリティを向上させることができる。
【００５０】
また、ＩＰ−ＦＡＸ宛先番号と暗証番号の対を複数の送信側通信装置について記憶することにより、複数宛先に対して上述の認証処理を行わせることができ、操作性を向上することができる。
さらに、送信側通信装置がＤＨＣＰサーバの管理下にある場合、送信側通信装置のＩＰアドレスが一定時間間隔で変化するので、送信側通信装置のＩＰアドレスが変わった場合には改めて上述の認証処理を行うことにより、操作性を向上することができる。
【００５１】
この実施例の通信システムは、送信側通信装置が、電話回線を利用して受信側側通信装置へ通知した暗証番号をやり取りすることで着呼端末を認証しているので、転居等による宛先番号の第三者利用や成りすましなどに起因した誤送信を防ぐことができ、信頼性を向上することができる。
また、送信側通信装置が、暗証番号を連続して使用してよい有効時刻を設けて、その有効時刻が経過していた場合にだけ新しい暗証番号を受信側通信装置へ通知しているので、電話回線の使用料金を抑えることができ、経済性が向上できる。
さらに、送信側通信装置がＩＰ−ＦＡＸ宛先番号と暗証番号の対を複数記憶し、受信側通信装置が発呼元の宛先端末のＩＰアドレスと暗証番号の対を複数記憶しているので、認証操作を同時に複数の宛先端末に対して実施することができ、操作性が向上できる。
【００５２】
また、送信側通信装置が、送信側通信装置のＩＰアドレスが前回ＩＰ−ＦＡＸ発呼時のＩＰアドレスから変化していた場合、電話回線で発呼して現在の送信側通信装置のＩＰアドレスと暗証番号を受信側通信装置へ通知しているので、ＤＨＣＰ環境下などでＩＰアドレスが動的に変更される場合でも上述の認証処理を行うことができ、可用性を向上させることができる。
さらに、送信側通信装置が電話回線で発呼時に着呼端末がビジーであった場合は、電話回線を使用した暗証番号の通知手続きを行わないで、代わりに前回のＩＰ−ＦＡＸ送信での発呼時に使用した暗証番号を使用しているので、着呼機ビジーの場合でも利用者は速やかにＩＰ−ＦＡＸ送信ができ、操作性を向上させることができる。
【００５３】
また、送信側通信装置が、暗証番号の認証に失敗したＩＰ−ＦＡＸ宛先番号への発呼を禁止しているので、悪意のある成りすましの受信側通信装置による認証手続きのリトライを防ぐことができ、信頼性を向上させることができる。
さらに、送信側通信装置が、ＩＰ−ＦＡＸ送信する宛先によって、認証手続きをするか認証手続きをしないかを設定できるので、上述の認証機能を持つ受信側通信装置と持たない受信側通信装置が混在する環境において、個々の受信側通信装置に合わせて認証手続きの有無を柔軟に対応でき、操作性を向上させることができる。
【産業上の利用可能性】
【００５４】
この発明による通信システムと通信方法は、ファクシミリ装置，プリンタ，複写機，複合機，パーソナルコンピュータを含む通信装置からなる通信システム全般に適用することができる。
【図面の簡単な説明】
【００５５】
【図１】この実施例の通信システムの送信側通信装置の機能構成を示すブロック図である。
【図２】この実施例の通信システムの受信側通信装置の機能構成を示すブロック図である。
【図３】図１に示す送信側通信装置の記憶部に記憶された宛先情報管理テーブルのデータ構造の一例を示す図である。
【図４】図２に示す受信側通信装置の記憶部に記憶された暗証番号管理テーブルのデータ構造の一例を示す図である。
【図５】図１に示す送信側通信装置におけるＩＰ−ＦＡＸ送信時の処理を示すフローチャート図である。
【００５６】
【図６】図５の続きの処理を示すフローチャート図である。
【図７】同じく図６の続きの処理を示すフローチャート図である。
【図８】図１に示す受信側通信装置におけるＩＰ−ＦＡＸ送信時の処理を示すフローチャート図である。
【図９】この実施例の通信ステムにおけるＩＰ−ＦＡＸ送信の説明図である。
【図１０】図１に示す送信側通信装置におけるＩＰ−ＦＡＸ送信時の他の処理を示すフローチャート図である。
【００５７】
【図１１】図１０の続きの処理を示すフローチャート図である。
【図１２】図１１の続きの処理を示すフローチャート図である。
【図１３】この実施例の通信ステムにおける暗証番号に有効時刻の説明図である。
【図１４】この実施例の通信ステムにおける前回発呼時の送信側ＩＰ−ＦＡＸのＩＰアドレスの説明図である。
【図１５】ＦＡＸ番号の成りすましによる誤送信の説明に供する通信システムの構成を示す図である。
【符号の説明】
【００５８】
１，２１：システム制御部    ２，２２：スキャナ    ３，２３：プロッタ    ４，２４：操作表示部    ５，２５：記憶部    ６，２６：網制御部    ７，２７：ネットワーク制御部    ８，２８：符号化復号化部    ９，２９：ＤＴＭＦ信号生成解析部    １０：暗証番号認証部    １１：暗証番号生成部    ４０，５０：送信側ＩＰ−ＦＡＸ    ４１，５１：受信側ＩＰ−ＦＡＸ    ４２：電話回線網    ４３，５２：ＩＰネットワーク    ４４：ＩＰ−ＦＡＸ宛先番号管理装置    ４５：不正なＩＰ−ＦＡＸ
【図１】
0004949317.tif 000002
【図２】
0004949317.tif 000003
【図３】
0004949317.tif 000004
【図４】
0004949317.tif 000005
【図５】
0004949317.tif 000006
【図６】
0004949317.tif 000007
【図７】
0004949317.tif 000008
【図８】
0004949317.tif 000009
【図９】
0004949317.tif 000010
【図１０】
0004949317.tif 000011
【図１１】
0004949317.tif 000012
【図１２】
0004949317.tif 000013
【図１３】
0004949317.tif 000014
【図１４】
0004949317.tif 000015
【図１５】
0004949317.tif 000016